(57)【要約】  急患用簡易ベッド兼用椅子が開示される。本発明は、支持フレームと、少なくとも椅子位置と完全リクライニング位置との間を移動できるように、支持フレームに枢着される区分した患者支持器とを含む。区分した患者支持器は座席部分を有する。固定器具が、支持フレーム及び座席部分に機能的に結合し、少なくとも完全リクライニング位置に急患用簡易ベッド兼用椅子を開放可能に固定するように構成される。
2009525132.tif 000002
【特許請求の範囲】
【請求項１】
急患用簡易ベッド兼用椅子であって、
支持フレームと、
少なくとも椅子位置と完全リクライニング位置との間を移動できるように、前記支持フレームに枢着されると共に、座席部分を有する、区分した患者支持器と、
前記支持フレーム及び座席部分に機能的に結合されると共に、急患用簡易ベッド兼用椅子を少なくとも完全リクライニング位置に開放可能に固定するように構成された固定器具と、を含む急患用簡易ベッド兼用椅子。
【請求項２】
前記固定器具が、バネで付勢されると共に、更に椅子位置に急患用簡易ベッド兼用椅子を開放可能に固定するように構成された、請求項１に記載の急患用簡易ベッド兼用椅子。
【請求項３】
前記固定器具が、ロック部材、及び該ロック部材の少なくとも一部を収め得る大きさの保持具を有する旋回部材とを備え、該旋回部材に前記座席部分が固定されると共に、上記ロック部材が上記保持具に収まると、急患用簡易ベッド兼用椅子が完全リクライニング位置に開放可能に固定される、請求項１に記載の急患用簡易ベッド兼用椅子。
【請求項４】
前記固定器具が、ピン及び各々が該ピンの少なくとも一部を収め得る大きさの複数のピン留め具を有する旋回部材を備え、該旋回部材に前記座席部分が固定されると共に、上記ピンが上記ピン留め具の第一の側に収まると、急患用簡易ベッド兼用椅子が完全リクライニング位置に開放可能に固定され、上記ピン留め具の第二の側に収まると、急患用簡易ベッド兼用椅子が椅子位置に開放可能に固定される、請求項１に記載の急患用簡易ベッド兼用椅子。
【請求項５】
前記固定器具及び支持フレームがピン・ガイド−固定ピン配列を提供し、該ピン・ガイドが固定ピンの直径周りの一部に配置される、請求項１に記載の急患用簡易ベッド兼用椅子。
【請求項６】
前記固定器具が、バネで付勢されたピンと、各々が該バネで付勢されたピンの少なくとも一部を収め得る大きさの複数のピン留め具を有する旋回部材とを備え、また、該旋回部材が支持フレームにおける固定ピンの直径周りの一部に配置されるピン・ガイドを含み、前記座席部分が上記旋回部材に固定されると共に、上記ピンが上記ピン留め具の第一の側に収まると、急患用簡易ベッド兼用椅子が完全リクライニング位置に開放可能に固定され、上記ピン留め具の第二の側に収まると、急患用簡易ベッド兼用椅子が椅子位置に開放可能に固定される、請求項１に記載の急患用簡易ベッド兼用椅子。
【請求項７】
前記支持フレームが一対のブラケットを有し、該一対のブラケットの一方の側に前記固定器具が設けられる、請求項１に記載の急患用簡易ベッド兼用椅子。
【請求項８】
前記支持フレームが一対のブラケットを有し、該一対のブラケットの一方の側に前記固定器具が設けられ、該固定器具が前記座席部分に固定された旋回部材を有する、請求項１に記載の急患用簡易ベッド兼用椅子。
【請求項９】
前記支持フレームが、一対の側部アーム部材と、各々が該側部アーム部材のそれぞれの一方の側に枢着された一対のブラケットとを有し、該一対のブラケットがその間に横材を取り付けると共に、上記支持フレームが、各々が上記側部アーム部材のそれぞれの一方の側に枢着された一対の第一の脚部と、上記横材に枢着された一対の第二の脚部とを更に含む、請求項１に記載の急患用簡易ベッド兼用椅子。
【請求項１０】
前記支持フレームが、一対の側部アーム部材と、各々が該側部アーム部材のそれぞれの一方の側に枢着された一対のブラケットとを有し、該一対のブラケットがその間に横材を取り付けると共に、上記支持フレームが、各々が上記一対のブラケットから離間した位置で上記側部アーム部材のそれぞれの一方の側に枢着された一対の第一の脚部と、上記横材に枢着された一対の第二の脚部とを更に含み、前記固定器具が上記一対のブラケットの一方の側に設けられ、上記固定器具が前記座席部分に固定された旋回部材を有する、請求項１に記載の急患用簡易ベッド兼用椅子。
【請求項１１】
車輪付き基部を更に含み、前記支持フレームが、一対の側部アーム部材と、各々が該側部アーム部材のそれぞれの一方の側に枢着された一対のブラケットとを有し、該一対のブラケットがその間に横材を取り付けると共に、上記支持フレームが、各々の第一端部が上記側部アーム部材のそれぞれの一方の側に及び第二端部が車輪付き基部に枢着された一対の第一の脚部と、第一端部が上記横材に及び第二端部が車輪付き基部に枢着された一対の第二の脚部とを更に含み、前記固定器具が上記一対のブラケットの一方の側に設けられ、上記固定器具が前記座席部分に固定された旋回部材を有する、請求項１に記載の急患用簡易ベッド兼用椅子。
【請求項１２】
急患用簡易ベッド兼用椅子が、車輪付き基部と、各々の第一端部が前記支持フレームに及び第二端部が車輪付き基部に取り付けられた脚部とを更に含み、複合簡易ベッド及び車椅子は、上記脚部が前記座席部分に対して実質的に垂直な起こされた姿勢と、少なくとも２つの上記脚部が上記座席部分の下方に折り重なる畳まれた姿勢とのいずれかに、選択的に位置付けられることが可能である、請求項１に記載の急患用簡易ベッド兼用椅子。
【請求項１３】
前記支持フレームが、横材をその間に取り付けた一対のブラケットと一対の側部アーム部材とを更に含み、急患用簡易ベッド兼用椅子は、車輪付き基部と第一及び第二の対をなす脚部とを更に含み、該対をなす第一の脚部が、各々が上記側部アーム部材のそれぞれの一方の側及び上記車輪付き基部に枢着され、上記対をなす第二の脚部が、上記横材及び上記車輪付き基部に枢着され、複合簡易ベッド及び車椅子は、上記脚部が上記対をなす側部アーム部材に対して実質的に垂直な起こされた姿勢と、上記対をなす第二の脚部が前記座席部分の下方に折り重なる畳まれた姿勢とのいずれかに、選択的に位置付けられることが可能であり、少なくとも１つの斜めの補強材が上記側部アーム部材の一方の側及び上記車輪付き基部に枢着されて、急患用簡易ベッド兼用椅子を上記起こされた姿勢に開放可能に固定する、請求項１に記載の急患用簡易ベッド兼用椅子。
【請求項１４】
前記区分した患者支持器が、前記座席部分に枢着された脚部分と、前記支持フレームに枢着された背もたれ部分とを更に含む、請求項１に記載の急患用簡易ベッド兼用椅子。
【請求項１５】
前記区分した患者支持器が、脚部分と前記支持フレームに枢着された背もたれ部分とを更に含み、前記座席部分及び上記脚部分が枢着され、上記背もたれ部分が、実質的に水平な第一の姿勢から複数の起こされた姿勢に、上記背もたれ部分を引き起こす付勢バネを更に含む、請求項１に記載の急患用簡易ベッド兼用椅子。
【請求項１６】
前記区分した患者支持器が、前記座席部分に枢着された脚部分と、前記支持フレームに枢着された背もたれ部分とを更に含み、前記簡易ベッドが前記椅子位置にある時は実質的に水平な位置に広がり、上記簡易ベッドが前記完全リクライニング位置にある時は上記脚部分と実質的に同一平面位置に引っ込められる、枢着された足載せ台パネルを上記脚部分が更に含む、請求項１に記載の急患用簡易ベッド兼用椅子。
【請求項１７】
前記区分した患者支持器が、前記支持フレーム及び前記座席部分に枢着された脚部分を更に含み、該脚部分が、この脚部分と実質的に同一平面にある引っ込み位置と該引っ込み位置より上方に上記脚部分を置く上昇位置との間を移動可能な、枢着された足載せ台を含む、請求項１に記載の急患用簡易ベッド兼用椅子。
【請求項１８】
前記区分した患者支持器が、前記座席部分に枢着された脚部分と、前記支持フレームに枢着された背もたれ部分とを更に含み、前記固定器具が、ピンと各々が該ピンの少なくとも一部を収め得る大きさの複数のピン留め具を有する旋回部材とを備え、該旋回部材に上記座席部分が固定されると共に、上記ピンが上記ピン留め具の第一の側に収まると、急患用簡易ベッド兼用椅子が完全リクライニング位置に開放可能に固定され、上記ピン留め具の第二の側に収まると、急患用簡易ベッド兼用椅子が椅子位置に開放可能に固定される、請求項１に記載の急患用簡易ベッド兼用椅子。
【請求項１９】
支持フレームと、
少なくとも椅子位置と完全リクライニング位置との間を移動できるように、上記支持フレームに枢着されると共に、座席部分と該座席部分に枢着された脚部分とを有する、区分した患者支持器と、
上記座席部分に固定され、かつ少なくとも完全リクライニング位置に開放可能に配置することが可能な、旋回部材を有する固定器具と、
車輪付き基部と、
各々が上記支持フレームに枢着された第一端部及び上記車輪付き基部に取り付けられた第二端部を有する脚部とを含み、複合簡易ベッド及び車椅子が、上記座席部分に対して上記脚部を実質的に垂直に置く起こされた姿勢と、折り畳まれた少なくとも２つの上記脚部を上記座席部分に隣接して置く畳まれた姿勢とのいずれかに、選択的に位置付けられることが可能である、
急患用簡易ベッド兼用椅子。
【請求項２０】
支持フレームと、
少なくとも椅子位置と完全リクライニング位置との間を移動できるように、上記支持フレームに枢着されると共に、座席部分と、該座席部分に枢着された脚部分と、上記支持フレームに枢着された背もたれ部分とを有する、区分した患者支持器と、
ピンと各々が該ピンの少なくとも一部を収め得る大きさの複数のピン留め具を備えた旋回部材とを有する固定器具と、
車輪付き基部と、
各々が上記支持フレームに枢着された第一端部及び上記車輪付き基部に取り付けられた第二端部を有する脚部とを含む、急患用簡易ベッド兼用椅子であって、
上記座席部分が上記旋回部材に固定されると共に、上記ピンが上記留め具間を移動可能であり、上記ピンが上記ピン留め具の第一の側に収まると、上記急患用簡易ベッド兼用椅子が完全リクライニング位置に開放可能に固定され、上記ピンが上記ピン留め具の第二の側に収まると、上記急患用簡易ベッド兼用椅子が椅子位置に開放可能に固定され、かつ、上記複合簡易ベッド及び車椅子は、上記座席部分に対して上記脚部を実質的に垂直に置く起こされた姿勢と、折り畳まれた少なくとも２つの上記脚部を上記座席部分に隣接して置く畳まれた姿勢とのいずれかに、選択的に位置付けられることが可能である、急患用簡易ベッド兼用椅子。
【発明の詳細な説明】
【技術分野】
【０００１】
本発明は、救急車の後部に患者を乗せるために使用される急患用簡易ベッド兼用椅子（a combination ambulance cot and chair）に関する。
【背景技術】
【０００２】
治療のために救急患者を自宅から病院へ輸送する際には、しばしば、患者がその上に通常仰臥位で位置する担架等の急患用簡易ベッドを用いて、患者を自宅から運び出す必要がある。当該技術分野において周知のように、典型的には、かかる簡易ベッド（cots）に転動可能な基部を有する車台（undercarriage）が設けられ、患者の自宅近くに駐車している救急車への簡易ベッド上にいる患者の輸送を容易にする。車台は折り畳み式であり、これにより、簡易ベッド、その車台及びその上にいる患者が、完全リクライニング位置で救急車の後部に運び込まれて病院に輸送され得る。
【発明の開示】
【発明が解決しようとする課題】
【０００３】
しかし、患者を自宅から運び出す際に、先行技術のような簡易ベッドが完全にリクライニングされた患者に、救急救命士が近づくことは時折困難である。特に、救急救命士は、簡易ベッドが完全にリクライニングされているために、患者の自宅の二階へ／二階から階段を渡ることが、あるいは、完全にリクライニングされた簡易ベッドの操作が著しく困難であり場合によっては不可能な、狭い廊下や戸口を含む患者の自宅を横断することが、困難である。このような状況では、患者の自宅を通し、簡易ベッドの操作やその上にいる患者の巧みな扱いを容易にするために、簡易ベッドは、例えば車椅子等によりもたらされる減少された“専有面積（footprint）”を有することが望ましい。一旦、簡易ベッドが、患者の自宅からいかなる障害物もない場所に、例えば救急車の後部付近の場所に運び出されると、簡易ベッドを完全なリクライニングにして、救急車の後部への簡易ベッドの運び込みを容易にすることが望ましい。
【０００４】
従って、その上にいる患者が通常仰臥位に置かれる完全リクライニング位置と、その上にいる患者が通常直立した着座位置にある椅子位置とに移動可能な、急患用簡易ベッド兼用椅子を提供する絶え間ない必要性がある。更に、先行技術の急患用簡易ベッド兼用椅子は椅子位置から完全リクライニング位置に容易に移行しないことが、報告されている。かかる先行技術の簡易ベッドに典型的に設けられたラチェット機構に起因して、救急救命士は簡易ベッドを引っ張り上げた後にそのリクライニング位置に降下しなければならない。上記先行技術の簡易ベッドを降下させるこの操作は、神経に障り、患者に更なる不快感を加えることがある。従ってまた、椅子位置と完全リクライニング位置とを円滑に移行する急患用簡易ベッド兼用椅子を提供する必要性がある。
【課題を解決するための手段】
【０００５】
本発明が救急車の後部に患者を乗せるために使用される急患用簡易ベッド兼用椅子を提供することは、上述の背景に抗するものである。本発明の簡易ベッドは、その上にいる患者が通常仰臥位にある完全リクライニング位置と、その上にいる患者が着座位置に通常直立した椅子位置との間を移動可能であり、これにより専有面積が減少した簡易ベッドを提供する。
【０００６】
更に、本発明の簡易ベッドは、車輪付き基部に支持フレームを枢着した折り畳み式脚部を含む。区分した患者支持器（segmented patient support）が、支持フレームに調節可能に結合し、背もたれ部分（back segment）、脚部分（leg segment）及び座席部分（seat segment）を含む。背もたれ部分は、その一端部が支持フレームに枢動可能に結合し、複数の位置に傾けられる。座席部分は、両端部が支持フレームに枢動可能に結合する。脚部分は、座席部分及び支持フレームに枢動可能に結合する。従って、このように相互接続した患者支持器部分により、座席及び脚部分は、椅子位置から完全リクライニング位置に簡易ベッドの支持フレームと共に移動する。
【０００７】
一実施の形態において、急患用簡易ベッド兼用椅子が開示される。急患用簡易ベッド兼用椅子は、支持フレームと、支持フレームに枢着されて少なくとも椅子位置と完全リクライニング位置の間を移動する区分した患者支持器とを含む。区分した患者支持器は、座席部分を有する。固定器具が、支持フレーム及び座席部分に機能的に結合し、急患用簡易ベッド兼用椅子を少なくとも完全リクライニング位置に開放可能に固定するように構成される。
【０００８】
別の実施の形態において、支持フレームと、支持フレームに枢着されて少なくとも椅子位置と完全リクライニング位置の間を移動する区分した患者支持器とを含む、急患用簡易ベッド兼用椅子が開示される。区分した患者支持器は、座席部分と座席部分に枢着された脚部分とを有する。固定器具が座席部分に固定された旋回部材を有し、旋回部材は少なくとも完全リクライニング位置に開放可能に配設可能である。また、車輪付き基部と、各々が支持フレームに枢着される第一端部及び車輪付き基部に取り付けられる第二端部を有する脚部とが、設けられる。複合簡易ベッド及び車椅子は、座席部分に対して脚部を実質的に垂直に置く起こされた姿勢と、座席部分に隣接して折り畳まれた少なくとも２つの脚部を置く畳まれた姿勢とのいずれかに、選択的に位置付けられることが可能である。
【０００９】
別の実施の形態において、支持フレームと、支持フレームに枢着されて少なくとも椅子位置と完全リクライニング位置の間を移動する区分した患者支持器とを含む、急患用簡易ベッド兼用椅子が開示される。区分した患者支持器は、座席部分と、座席部分に枢着された脚部分と、支持フレームに枢着された背もたれ部分とを有する。また、ピンと各々がピンの少なくとも一部を収め得る大きさの複数のピン留め具（catch）を備えた旋回部材とを有する、固定器具が設けられる。座席部分が旋回部材に固定され、ピンは留め具間を移動可能であって、ピンがピン留め具の第一の側に収まると、急患用簡易ベッド兼用椅子は完全リクライニング位置に開放可能に固定され、ピンがピン留め具の第二の側に収まると、急患用簡易ベッド兼用椅子は椅子位置に開放可能に固定される。車輪付き基部と、各々が支持フレームに枢着された第一端部及び車輪付き基部に取り付けられた第二端部を有する脚部とが、設けられる。複合簡易ベッド及び車椅子は、座席部分に対して脚部を実質的に垂直に置く起こされた姿勢と、座席部分に隣接して折り畳まれた少なくとも２つの脚部を置く畳まれた姿勢とのいずれかに、選択的に位置付けられることが可能である。
【００１０】
本発明の以上の及び更なる目的、特徴並びに利点は、適切な当業者であれば以下の説明から明らかになるであろうし、本明細書に添付の特許請求の範囲に特に指摘された手段及び組合せにより明確に理解できるであろう。
【発明を実施するための最良の形態】
【００１１】
同様の部材には同じ参照番号で表す添付の図面と協同して以下の説明を参照すると、本発明がよりよく理解されるであろう。図１〜図４を参照すると、本発明の一実施例の急患用簡易ベッド兼用椅子１０が図示されている。急患用簡易ベッド兼用椅子１０（この最良の形態においては「簡易ベッド１０」という）は、通常符号３０で示される車輪付き基部を通常符号４０で示される支持フレームに、支持可能に接続する脚部２０を含む。車輪付き基部３０は、両端間が接続された部材３２を有する一般に矩形状のフレームと、交差端部が各々のフレーム部材３２に取り付けられた車輪３４とを含む。図示の実施例において、前車輪３４ａは簡易ベッド１０の操縦性及び操作を容易にする旋回型キャスタであり、一方、後車輪３４ｂは各々のフレーム部材３２に固定して取り付けられている。
【００１２】
支持フレーム４０は、形状が一般に矩形状であり、図１に最もよく見られるが、一対の側部アーム部材４２、一対の上部フレーム部材４４、下部フレーム部材４６、及び上部及び下部横棒４８，５０を含む。各側部アーム部材４２は、一端が上部フレーム部材４４の各一方の側に及び他端付近の下部フレーム部材４６に枢着されている。上部フレーム部材４４に取り付けられた端部から遠く離れた端部に、側部アーム部材４２が一対の第一の脚部２０ａに枢着されている。一対の第二の脚部２０ｂが下部横棒５０に枢着されている。上部横棒４８は、一対の上部フレーム部材４４間に固定して締付けられている。従って、脚部２０ａ，２０ｂは、概ね支持フレームと平行に脚部が車輪付き基部を揺動できるように、支持フレーム４０及び車輪付き基部３０に枢着されている。
【００１３】
一対の装着車輪（loading wheel）５２が、上部フレーム部材４４の端部に回転自在に取り付けられている。図３に最もよく見られるが、簡易ベッドが完全リクライニング位置に引き起こされると、装着車輪５２が側部アーム部材４２の下方にあるように、各上部フレーム部材４４は僅かに折り曲げられている。これは、例えば緊急車輌の輸送張出窓によりもたらされる、支持面５４への簡易ベッドの椅子の載置を容易にするのに役立つ。
【００１４】
通常符号５６で示される一対の補強材が、支持フレーム４０と車輪付き基部３０に対して斜めに枢着されている。図１〜図３で示される簡易ベッド１０の起こされた姿勢では、一対の補強材５６は、開放可能な留め具５８を介して側部アーム部材４２に対して垂直に脚部２０ａ，２０ｂを開放可能に固定する。起こされた姿勢では、支持フレーム４０は、例えば図１，２で図示された椅子位置か、又は図３で図示された完全リクライニング位置のいずれかに、位置付けられることが可能である。
【００１５】
各々の補強材５６は、中心越えヒンジ６２を介してそれぞれ接続する上部及び下部リンク６０ａ，６０ｂを有する。各下部リンク６０ｂが車輪付き基部３０に枢着され、各上部リンク６０ａが支持フレーム４０に枢着されているので、中心越えヒンジ６２を矢印方向６４に折ることにより、車輪付き基部３０が支持フレーム４０に対して矢印方向６６に揺動するようになり、これにより、簡易ベッド１０を図３に破線で示される畳まれた姿勢に配置することができる。畳まれた姿勢では、一対の第二の脚部２０ｂが、側部アーム部材４２に隣接して区分した患者支持器の座席部分６８の下方に折り畳まれる。
【００１６】
簡易ベッド１０は、例えば図１に示す椅子位置と例えば図３に示す完全リクライニング位置とにやはり調節可能な、通常符号７０で示される区分した患者支持器を更に含む。区分した患者支持器７０は、３つの主要部分、即ち背もたれ部分７２、座席部分６８及び脚部分７４を含む。背もたれ部分７２は、概ねＵ字形をなし、下端部が一対のブラケット７６間に枢動可能に結合している。背もたれ部分７２は、また、上端部がリフト・シリンダ７８に取り付けられ、このようにして、図３に示す完全リクライニング位置と破線で示される直立位置との間で、複数の位置に開放可能に位置付けされることができる。リフト・シリンダ７８の他端は横棒８０に回転可能に取り付けられている。横棒８０は、また、一対のブラケット７６間に取り付けられ、図１に最もよく見られる一対の第二の装着車輪８２を取り付けている。
【００１７】
足載せ台８４の遠位端が下部フレーム部材４６間に隣接し、その近位端が脚部分７４に枢着されている。脚部分７４は座席部分６８にその遠位端付近で更に枢着されている。座席部分６８の遠位端は下部フレーム部材４６間に枢着されている。座席部分６８の近位端は一対のブラケット７６間に枢着されている。
【００１８】
一対のブラケット７６に加えて、一対のリンク機構８６が更に支持フレーム４０に設けられている。各々のリンク機構８６は、第一端部が下部フレーム部材４６に及び第二端部がブラケット７６のそれぞれの一方の側に、回転可能に取り付けられている。各ブラケット７６は、前記上部フレーム部材４４のそれぞれの一方の側に取り付けられている。このように、上部フレーム部材４４が図１に示す椅子位置から図３に示す完全リクライニング位置に移行する際に、下部フレーム部材４６を持ち上げながら、ブラケット７６がリンク機構８６を押圧して、座席部分６８、脚部分７４及びこれに接続する足載せ台８４を完全リクライニング位置に押し上げる。
【００１９】
固定器具が、支持フレーム４０及び座席部分６８に機能的に結合し、簡易ベッド１０を少なくとも完全リクライニング位置に開放可能に固定するように構成される。図４は、一実施の形態では、第一と第二のブラケット部材９０ａ，９０ｂ間に、通常符号８８で示される固定器具を設けたブラケット７６の一方を示す。また、別の実施の形態では、同じタイプの固定器具８８を両方のブラケット７６に設けることができる。
【００２０】
固定器具８８は、保持具（keeper）９６に開放可能に係合するロック部材９２を含む。ロック部材９２は、図示の実施例ではピンであるが、他の実施の形態では、例えば、回し金（dog）、つめ（pawl）、段部（level）、鉤つめ（claw）、フック等であってもよい。保持具９６は、複数のピン留め具であるが、他の実施の形態では、例えば、ラチェト、ノッチ、凹部、穴、カム等であってもよい。更に、図示の実施例では、ロック部材がブラケット部材９０ａに設けられ、保持具９６が旋回部材９４に設けられているが、他の実施の形態では、ブラケット部材９０ａ，９０ｂとこれに付随する旋回部材９４の間の相対運動を固定器具８８により開放可能に拘束できる限り、相対的位置関係を留保することができる。従って、上述の拘束機能を果たすあらゆる固定器具を本発明で用いることができる。
【００２１】
一端部で座席部分６８が旋回部材９４に固定される。図示の実施例では、保持具９６は各々がロック部材９２の少なくとも一部を収め得る大きさであり、ロック部材が保持具９６の一方の側に位置した状態を保つようにバネ９８によりバネ付勢されている。ガイド・ブロック１００が、ブラケット部材９０ａ，９０ｂ間にロック部材９２及びバネ９８を収容する。ロック部材９２は、手動の操作部１０４により保持具９６のロック部材９２を取り除けるように、引張りケーブル１０２に取り付けられている。
【００２２】
ロック部材９２が保持具９６から取り除かれると、支持フレーム４０を完全リクライニング位置又は椅子位置のいずれかに移行することができる。従って、ロック部材９２が保持具９６の第一の側に収まると、支持フレーム、故に簡易ベッド１０は完全リクライニング位置に開放可能に固定され、ロック部材９２が保持具９６の第二の側に収まると、支持フレーム４０、故に簡易ベッド１０は椅子位置に開放可能に固定されることが、認識されるはずである。
【００２３】
また図４で示されるように、固定器具８８及び支持フレーム４０は、通常符号１０６で示されるピン・ガイド−固定ピン配列を備えている。ピン・ガイド−固定ピン配列１０６は、固定ピン１１０の直径周りの一部に配置されるピン・ガイド又は行路１０８を含む。図示の実施例では、固定ピン１１０は、ブラケット部材９０ａ，９０ｂ間に位置するように設けられ、ピン・ガイド１０８に摺動自在に収容される。図示のピン・ガイド１０８は、ブラケット部材９０ａ，９０ｂ間に回転可能に取り付けられる旋回部材９４に設けられている。
【００２４】
詳細に記載されている特定の実施の形態について本発明を説明してきたが、当然のことながら、これはほんの一例にすぎず、本発明は必ずしもこれらに限定されるものではない。というのは、当業者であれば、以上の発明の詳細な説明、添付の図面及び特許請求の範囲を照らしてみると、本明細書に詳細に説明されていない他の実施の形態が、明らかになるからである。従って、本発明の精神又は範囲のいずれかから逸脱せずになし得る変更が意図される。
【図面の簡単な説明】
【００２５】
【図１】本発明の一実施例の急患用簡易ベッド兼用椅子の正面側斜視図であって、椅子位置における簡易ベッドを示し、図を簡略化するために一部の部材を破断している。
【図２】図１の急患用簡易ベッド兼用椅子の側面図である。
【図３】図１の急患用簡易ベッド兼用椅子の側面図であって、破線でも示される脚部及び車輪付き基部を引き起こして完全リクライニング位置にある簡易ベッドを示しながら、急患用簡易ベッド兼用椅子は畳まれた姿勢に位置付けられることが可能であることを示す。
【図４】本発明の図１の急患用簡易ベッド兼用椅子におけるブラケット及び固定器具の斜視図である。
【図１】
2009525132.tif 000003
【図２】
2009525132.tif 000004
【図３】
2009525132.tif 000005
【図４】
2009525132.tif 000006
【国際調査報告】
2009525132.tif 000007
2009525132.tif 000008
2009525132.tif 000009